(57)【要約】【課題】  エネルギー効率の高い蒸気供給システムを提供する。【解決手段】  蒸気供給システムＳ１は、多段に組み合わされた複数のヒートポンプ回路ＨＰ１，ＨＰ２と、被加熱媒体の供給経路１００とを備える。供給経路１００を流れる被加熱媒体は、複数のヒートポンプ回路ＨＰ１，ＨＰ２の各々で順次加熱される。【選択図】    図１
2006348876.tif 000002
【特許請求の範囲】
【請求項１】
蒸気供給システムであって、
多段に組み合わされた複数のヒートポンプ回路と、
前記ヒートポンプ回路とは別の独立した経路である被加熱媒体の供給経路と、を備えてなり、
前記供給経路を流れる前記被加熱媒体が、前記複数のヒートポンプ回路の各々で順次加熱されて蒸気となることを特徴とする蒸気供給システム。
【請求項２】
前記複数のヒートポンプ回路は、吸熱部、圧縮部、放熱部、及び膨張部をそれぞれ含む第１ヒートポンプ回路と第２ヒートポンプ回路とを有しており、
前記第１ヒートポンプ回路と前記第２ヒートポンプ回路とは、互いに熱交換する関係にあり、
前記第１ヒートポンプ回路は、前記第２ヒートポンプ回路の熱媒体と前記供給経路を流れる前記被加熱媒体とを加熱することを特徴とする請求項１に記載の蒸気供給システム。
【請求項３】
前記供給経路の比較的上流位置で、前記第１ヒートポンプ回路の放熱部と前記第２ヒートポンプ回路の吸熱部と前記供給経路の一部とが互いに隣接して配設され、
前記供給経路の比較的下流位置で、前記第２ヒートポンプ回路の放熱部と前記供給経路の一部とが互いに隣接して配設されていることを特徴とする請求項１または請求項２に記載の蒸気供給システム。
【請求項４】
前記複数のヒートポンプ回路が、３段以上に組み合わされていることを特徴とする請求項１から請求項３のいずれかに記載の蒸気供給システム。
【請求項５】
前記複数のヒートポンプ回路で使用されるエネルギーを蓄えるエネルギー蓄積部をさらに備えることを特徴とする請求項１から請求項４のいずれかに記載の蒸気供給システム。
【請求項６】
前記エネルギー蓄積部は、夜間電力を利用して前記エネルギーを蓄えることを特徴とする請求項５に記載の蒸気供給システム。
【請求項７】
前記エネルギー蓄積部は、蓄電装置を含むことを特徴とする請求項５または請求項６に記載の蒸気供給システム。
【請求項８】
前記複数のヒートポンプ回路で加熱された前記被加熱媒体を蓄える蓄熱槽をさらに備えることを特徴とする請求項１から請求項７のいずれかに記載の蒸気供給システム。
【請求項９】
発電プラントであって、
請求項１から請求項８のいずれかに記載の蒸気供給システムと、
前記蒸気供給システムから供給される蒸気を用いて発電する発電機と、を備えることを特徴とする発電プラント。
【請求項１０】
蒸気を復水させる復水器をさらに備えており、
前記蒸気供給システムは、前記復水器内の熱を汲み上げることを特徴とする請求項９に記載の発電プラント。
【発明の詳細な説明】
【技術分野】
【０００１】
本発明は、蒸気供給システム及び発電プラントに関する。
【背景技術】
【０００２】
蒸気供給システムとしては、ボイラの燃焼部で燃料を燃焼させて被加熱媒体を加熱する構成が一般的に知られている（例えば、特許文献１参照）。
【特許文献１】特開平６−２４９４５０号公報
【発明の開示】
【発明が解決しようとする課題】
【０００３】
ボイラのエネルギー効率は一般に約０．８（８０％）である。環境問題に対する意識の高まりとともに、蒸気供給システムに関して、より一層のエネルギー効率の向上が望まれている。
【０００４】
本発明は、上述する事情に鑑みてなされたものであり、エネルギー効率の高い蒸気供給システムを提供することにある。
【課題を解決するための手段】
【０００５】
本発明の蒸気供給システムは、多段に組み合わされた複数のヒートポンプ回路と、前記ヒートポンプ回路とは別の独立した経路である被加熱媒体の供給経路と、を備えてなり、前記供給経路を流れる前記被加熱媒体が、前記複数のヒートポンプ回路の各々で順次加熱されて蒸気となることを特徴とする。
【０００６】
この蒸気供給システムによれば、独立した経路を流れる被加熱媒体が複数のヒートポンプ回路の各々で順次加熱されて蒸気となる。そして、複数のヒートポンプ回路の使用により、エネルギー効率の向上を図ることができる。すなわち、ヒートポンプ回路の成績係数は、被加熱媒体の入力温度と出力温度との差に応じて変化するものの、複数のヒートポンプ回路を使用して加熱温度領域を複数段に分けて順次加熱を行うことにより、ボイラに比べて高いエネルギー効率が得られる。
【０００７】
上記の蒸気供給システムにおいて、前記複数のヒートポンプ回路は、吸熱部、圧縮部、放熱部、及び膨張部をそれぞれ含む第１ヒートポンプ回路と第２ヒートポンプ回路とを有しており、前記第１ヒートポンプ回路と前記第２ヒートポンプ回路とは、互いに熱交換する関係にあり、前記第１ヒートポンプ回路は、前記第２ヒートポンプ回路の熱媒体と前記供給経路を流れる前記被加熱媒体とを加熱する構成とすることができる。
この構成によれば、第１ヒートポンプ回路によって被加熱媒体に対する比較的低温域の加熱が行われ、第２ヒートポンプ回路によって被加熱媒体に対する比較的高温域の加熱が行われる。
【０００８】
この場合、例えば、前記供給経路の比較的上流位置で、前記第１ヒートポンプ回路の放熱部と前記第２ヒートポンプ回路の吸熱部と前記供給経路の一部とが互いに隣接して配設され、前記供給経路の比較的下流位置で、前記第２ヒートポンプ回路の放熱部と前記供給経路の一部とが互いに隣接して配設されている構成とすることができる。
【０００９】
また、前記複数のヒートポンプ回路が、３段以上に組み合わされていることにより、比較的高温の蒸気供給が可能となる。
【００１０】
また、上記の蒸気供給システムにおいて、前記複数のヒートポンプ回路で使用されるエネルギーを蓄えるエネルギー蓄積部をさらに備える構成とすることができる。
【００１１】
この場合、前記エネルギー蓄積部は、蓄電装置を含む構成とすることができる。
【００１２】
また、前記エネルギー蓄積部は、夜間電力を利用して前記エネルギーを蓄えることが好ましい。
【００１３】
また、上記の蒸気供給システムにおいて、前記複数のヒートポンプ回路で加熱された前記被加熱媒体を蓄える蓄熱槽をさらに備える構成とすることができる。
【００１４】
本発明の発電プラントは、本発明の蒸気供給システムと、前記蒸気供給システムから供給される蒸気を用いて発電する発電機と、を備えることを特徴とする。
【００１５】
この発電プラントにおいて、蒸気を復水させる復水器をさらに備えており、前記蒸気供給システムは、前記復水器内の熱を汲み上げる構成とするのが好ましい。
【発明の効果】
【００１６】
本発明の蒸気供給システムによれば、ヒートポンプ回路を用いた多段順次加熱により、エネルギー効率の向上を図ることができる。また、この蒸気供給システムにおいて、ヒートポンプで使用されるエネルギーを蓄えるエネルギー蓄積部をさらに備えることにより、夜間電力の利用が可能となり、運転コストの低減を図ることができる。
【００１７】
本発明の発電プラントによれば、本発明の蒸気供給システムから供給される蒸気を用いて発電することにより、エネルギー効率の向上を図ることができる。
【発明を実施するための最良の形態】
【００１８】
以下、本発明の蒸気供給システムについて図面を参照して説明する。
【００１９】
図１は、本発明の蒸気供給システムを概念的に示す図である。
図１において、蒸気供給システムＳ１は、多段（本例では２段）に組み合わされた複数のヒートポンプ回路（第１ヒートポンプ回路ＨＰ１、第２ヒートポンプ回路ＨＰ２）と、被加熱媒体（本例では水）の供給経路１００とを備えて構成されている。
【００２０】
第１及び第２ヒートポンプ回路ＨＰ１，ＨＰ２はそれぞれ、蒸発、圧縮、凝縮、及び膨張の各工程からなるサイクルにより、低温の物体から熱を汲み上げ、高温の物体に熱を与える装置である。ヒートポンプは一般に、エネルギー利用効率が比較的高く、また、結果として、ＣＯ２等の排出量が比較的少く、環境によいという利点を有する。
【００２１】
具体的に、第１ヒートポンプ回路ＨＰ１は、吸熱部１１、圧縮部１２、放熱部１３、及び膨張部１４を含み、これらは配管を介して順次接続されている。同様に、第２ヒートポンプ回路ＨＰ２は、吸熱部２１、圧縮部２２、放熱部２３、及び膨張部２４を含み、これらは配管を介して順次接続されている。吸熱部１１，２１は、吸熱機能を有し、熱媒体が吸熱する際、その吸収熱に相当する熱を各サイクル外の熱源から吸収する。また、放熱部１３，２３は、放熱機能を有し、熱媒体が放熱する際、その放出熱に相当する熱を各サイクル外の熱源に与える。圧縮部１２，２２は、圧縮機等によって熱媒体を圧縮する。この際、通常熱媒体は昇温することとなる。また、上記圧縮機には動力を供給する必要がある。膨張部１４，２４は、減圧弁またはタービン等によって熱媒体を膨張させる。この際、通常、熱媒体は温度降下することとなる。また、タービンを使用した場合には動力を取り出すことができ、例えば上記圧縮機の動力としてもよい。そして、第１ヒートポンプ回路ＨＰ１の放熱部１３と第２ヒートポンプ回路ＨＰ２の吸熱部２１とが互いに熱交換する関係にあり、第１ヒートポンプ回路ＨＰ１の放熱部１３で放出される熱が第２ヒートポンプ回路ＨＰ２の吸熱部２１で吸収される。２段構成により、この蒸気供給システムＳ１では、第１ヒートポンプ回路ＨＰ１の放熱部１３における放熱温度に比べ、第２ヒートポンプ回路ＨＰ２の放熱部２３における放熱温度が高くなっている。ヒートポンプ回路の熱媒体としては、フロン系媒体、アンモニア、水、二酸化炭素、空気などの公知の様々な熱媒体が適用される。
【００２２】
ここで、図１に示すように、被加熱媒体である水の流れ方向に関して、供給経路１００の比較的上流位置で、第１ヒートポンプ回路ＨＰ１の放熱部１３と第２ヒートポンプ回路ＨＰ２の吸熱部２１と供給経路１００の一部とが互いに隣接して配設されており、それらは一つの熱交換器（第１熱交換器ＨＥ１）を構成している。すなわち、第１熱交換器ＨＥ１は、第１ヒートポンプ回路ＨＰ１を流れる熱媒体に対して第２ヒートポンプ回路ＨＰ２を流れる熱媒体と供給経路１００を流れる水とが対向して流れる３流体向流型の熱交換構造を有している。そして、第１熱交換器ＨＥ１では、第１ヒートポンプ回路ＨＰ１の放熱部１３からの熱によって、第２ヒートポンプ回路ＨＰ２の熱媒体と供給経路１００の水とが同時に加熱される。なお、第１熱交換器ＨＥ１は、上記向流型に限らず、例えば、高温熱媒と低温熱媒とが並行して流れる平行流型の熱交換構造を有してもよい。
【００２３】
また、供給経路１００の比較的下流位置で、第２ヒートポンプ回路ＨＰ２の放熱部２３と供給経路１００の一部とが互いに隣接して配設されており、それらは、別の一つの熱交換器（第２熱交換器ＨＥ２）を構成している。すなわち、第２熱交換器ＨＥ２は、第２ヒートポンプ回路ＨＰ２を流れる熱媒体に対して供給経路１００を流れる水が対向して流れる２流体向流型の熱交換構造を有している。そして、第２熱交換器ＨＥ２では、第２ヒートポンプ回路ＨＰ２の放熱部２３から放出される熱によって、供給経路１００の水が加熱される。
【００２４】
上記構成の蒸気供給システムＳ１では、供給経路１００を流れる水が、２段のヒートポンプ回路ＨＰ１，ＨＰ２の各々によって順次加熱される。すなわち、供給経路１００を流れる水は、第１ヒートポンプ回路ＨＰ１によって所定の温度まで加熱された後、第２ヒートポンプ回路ＨＰ２によって加熱されてさらに温度上昇して蒸発して蒸気となる。そして、蒸気供給システムＳ１からの蒸気は、外部の所定設備、例えば製造設備、調理設備、空調設備、発電設備などに供給される。
【００２５】
このように、この蒸気供給システムＳ１では、被加熱媒体（水）に対する加熱温度領域のうち、比較的低温域の加熱に第１ヒートポンプ回路ＨＰ１を用い、比較的高温域の加熱に第２ヒートポンプ回路ＨＰ２を用いる。例えば、２０℃〜９０℃までの加熱に第１ヒートポンプ回路ＨＰ１を用い、９０℃〜１６１℃の加熱に第２ヒートポンプ回路ＨＰ２を用いる。
【００２６】
ボイラのエネルギー効率は一般に約０．８（８０％）であるのに対して、ヒートポンプのエネルギー効率としての成績係数（ＣＯＰ：coefficient of performance）は一般に２．５〜５．０である。ヒートポンプの成績係数は、被加熱媒体の入力温度と出力温度との差に応じて変化し、その温度差が大きすぎると成績係数が低下する場合がある。そのため、水から水蒸気を発生させる場合などの比較的広い加熱温度領域に対して、複数のヒートポンプを用いるともに、その加熱温度領域を複数段に分けて順次加熱することにより、ボイラに比べて高いエネルギー効率を得ることが可能となる。
【００２７】
ここで、試算例を示す。水の加熱温度領域を２０℃〜１６１℃（０．８ＭＰａの飽和蒸気）とする。この温度領域の加熱にボイラを用いた場合、所要一次エネルギーは約３３５×１０４ Ｊ／ｋｇである。これに対して、上記温度領域の加熱にヒートポンプ（ＨＰ１、ＨＰ２）を用い、かつ２段階（ＨＰ１：２０℃〜９０℃、ＨＰ２：９０℃〜１６１℃）に分けて順次加熱を行う場合、所要一次エネルギーは約２９５×１０４ Ｊ／ｋｇとなる。すなわち、ヒートポンプを用いた２段順次加熱により、約１４％の一次投入エネルギーが低減される。なお、上記試算では、ボイラ効率を８０％、１台あたりのヒートポンプのＣＯＰを４、発電効率（送電端、送電ロス含む）を３８％、とした。また、ボイラの一次投入エネルギーは燃料熱量から求め、ヒートポンプの一次投入エネルギーは電力を燃料換算して求めた。上記試算においては、ＨＰ１の動力：５２．２×１０４ Ｊ／ｋｇ、ＨＰ１の放出エンタルピ：２０９×１０４ Ｊ／ｋｇ、ＨＰ１から水への付与エンタルピ：２９．３×１０４ Ｊ／ｋｇ、ＨＰ２が汲み上げるエンタルピ：１７９×１０４ Ｊ／ｋｇ、ＨＰ２の動力：５９．８×１０４ Ｊ／ｋｇ、ＨＰ２から水（蒸気）への付与エンタルピ：２３９×１０４ Ｊ／ｋｇ、である。また、ヒートポンプのＣＯＰが３である場合、約４％の一次投入エネルギーが低減される。
【００２８】
図２は、図１の変形例であり、ヒートポンプを用いた３段順次加熱式の蒸気供給システムＳ２を示している。なお、この図２において、図１と同一の機能を有する構成要素には同一の符号を付し、その説明を省略または簡略化する。
【００２９】
図２において、蒸気供給システムＳ２は、３段に組み合わされたヒートポンプ回路（第１ヒートポンプ回路ＨＰ１、第２ヒートポンプ回路ＨＰ２、第３ヒートポンプ回路ＨＰ３）と、被加熱媒体である水の供給経路１００とを備えて構成されている。第３ヒートポンプ回路ＨＰ３は、第１及び第２ヒートポンプ回路ＨＰ１，ＨＰ２と同様に、吸熱部３１、圧縮部３２、放熱部３３、及び膨張部３４を含み、これらは配管を介して順次接続されている。３段構成により、この蒸気供給システムＳ２では、第１ヒートポンプ回路ＨＰ１、第２ヒートポンプ回路ＨＰ２、第３ヒートポンプ回路ＨＰ３の順に、放熱部における放熱温度が高くなっている（ＨＰ１＜ＨＰ２＜ＨＰ３）。そして、供給経路１００を流れる水は、３段のヒートポンプ回路ＨＰ１，ＨＰ２，ＨＰ３によって順次加熱される。
【００３０】
すなわち、供給経路１００上には、下流側から順に、第１ヒートポンプ回路ＨＰ１の放熱部１３と第２ヒートポンプ回路ＨＰ２の吸熱部２１と供給経路１００の一部とを含む３流体型の第１熱交換器ＨＥ１と、第２ヒートポンプ回路ＨＰ２の放熱部２３と第３ヒートポンプ回路ＨＰ３の吸熱部３１と供給経路１００の一部とを含む３流体型の第２熱交換器ＨＥ２と、第３ヒートポンプ回路ＨＰ３の放熱部２３と供給経路１００の一部とを含む２流体型の第３熱交換器ＨＥ３とが配設されている。第１熱交換器ＨＥ１では、第１ヒートポンプ回路ＨＰ１の放熱部１３から放出される熱によって、第２ヒートポンプ回路ＨＰ２の熱媒体と供給経路１００の水とが同時に加熱され、第２熱交換器ＨＥ２では、第２ヒートポンプ回路ＨＰ２の放熱部２３から放出される熱によって、第３ヒートポンプ回路ＨＰ３の熱媒体と供給経路１００の水とが同時に加熱され、第３熱交換器ＨＥ３では、第３ヒートポンプ回路ＨＰ３の放熱部３３から放出される熱によって、供給経路１００の水が加熱される。そして、供給経路１００を流れる水は、第１熱交換器ＨＥ１、第２熱交換器ＨＥ２、及び第３熱交換器ＨＥ３の順に、各熱交換器を通過するごとに温度上昇して水蒸気となる。
【００３１】
このように、この蒸気供給システムＳ２では、被加熱媒体（水）に対する加熱温度領域のうち、比較的低温域の加熱に第１ヒートポンプ回路ＨＰ１を用い、比較的中温域の加熱に第２ヒートポンプ回路ＨＰ２を用い、比較的高温域の加熱第３ヒートポンプ回路ＨＰ３を用いる。例えば、加熱温度域は、第１ヒートポンプ回路ＨＰ１：２０℃〜９０℃、第２ヒートポンプ回路：９０℃〜１６０℃、第３ヒートポンプ回路ＨＰ３：１６０℃〜２４５℃、である。この３段順次加熱式の蒸気供給システムＳ２では、２段式の蒸気供給システムＳ１（図１参照）比べて、より高温の蒸気の供給が可能となる。
【００３２】
図３は、本発明の蒸気供給システムをプラント設備（発電プラント）に適用した実施の形態例を模式的に示す図である。なお、この図３において、図１及び図２と同一の機能を有する構成要素には同一の符号を付し、その説明を省略または簡略化する。
【００３３】
図３に示すように、発電プラントＰ１は、高圧タービンＴ１及び低圧タービンＴ２を備えた発電機Ｇ１と、中圧タービンＴ３及び低圧タービンＴ４を備えた発電機Ｇ２とを含む２機構成の蒸気タービンプラントである。また、発電プラントＰ１は、ヒートポンプを用いた多段順次加熱式の蒸気供給システムＳ３を備えており、この蒸気供給システムＳ３は、多段（本例では５段）に組み合わされたヒートポンプ回路（ＨＰ１，ＨＰ２，ＨＰ３，ＨＰ４，ＨＰ５）を含む。発電プラントＰ１では、多段ヒートポンプ回路ＨＰ１−ＨＰ５で発生された水蒸気を用いて発電運転が行われる。
【００３４】
具体的に、復水器ＣＤ１からの水は、多段ヒートポンプ回路ＨＰ１−ＨＰ５によって順次加熱される。すなわち、復水器ＣＤ１からの水は供給経路１００を流れるとともに、ＨＰ１、ＨＰ２、ＨＰ３、ＨＰ４、及びＨＰ５の順に、各ヒートポンプ回路を通過するごとに温度上昇して水蒸気となる。多段ヒートポンプ回路ＨＰ１−ＨＰ５で発生した水蒸気は高圧タービンＴ１に供給され、その高圧タービンＴ１を駆動する。また、水蒸気の一部は、高温熱交換器１５０で再熱された後に中圧タービンＴ３に送られ、その水蒸気は、中圧タービンＴ３、低圧タービンＴ２，Ｔ４を順次駆動する。余剰あるいは使用後の水蒸気は復水器ＣＤ１に入る。復水器ＣＤ１内で水蒸気は冷却されて水となり、再び多段ヒートポンプ回路ＨＰ１−ＨＰ５に送られる。そして、多段ヒートポンプ回路ＨＰ１−ＨＰ５で加熱されて水蒸気となり、再び高圧タービンＴ１に供給される。なお、図３の発電プラントＰ１の構成は一例であり、本発明の蒸気供給システムは、水蒸気を利用して発電を行う他の形態のプラントにも適用可能である。
【００３５】
このように、本例の発電プラントＰ１では、多段ヒートポンプ回路ＨＰ１−ＨＰ５を用いた順次加熱により、蒸気タービン発電で使用する水蒸気を発生させるから、エネルギー効率の向上を図ることができる。なお、多段ヒートポンプ回路ＨＰ１−ＨＰ５の段数は、使用される蒸気の温度域等に応じて適宜設定される。
【００３６】
さらに、本例の発電プラントＰ１は、復水器ＣＤ１の排熱を多段ヒートポンプ回路ＨＰ１−ＨＰ５で利用するように構成されている。すなわち、多段ヒートポンプ回路ＨＰ１−ＨＰ５における、第１ヒートポンプ回路ＨＰ１の吸熱部１１が、復水器ＣＤ１の内部に配設されており、復水器ＣＤ１内の水蒸気（または水）と熱交換可能である。そして、第１ヒートポンプ回路ＨＰ１では、吸熱部１１において熱媒体が蒸発する際、その蒸発熱に相当する熱を復水器ＣＤ１内の水蒸気から吸収する。これに伴い、復水器ＣＤ１内の水蒸気が冷却されて水となる。
【００３７】
このように、本例の発電プラントＰ１では、多段ヒートポンプ回路ＨＰ１−ＨＰ５が復水器ＣＤ１内の熱を汲み上げる構成を有していることから、復水器ＣＤ１用の冷却システムの不要化あるいは低機能化を図ることが可能であり、設備コストの低減ならびに運転コストの低減が図られる。
【００３８】
なお、本例の発電プラントＰ１において、図３に示すように、蒸気供給システムＳ３が、エネルギー蓄積部１６０を備える構成であってもよい。エネルギー蓄積部１６０は、多段ヒートポンプ回路ＨＰ１−ＨＰ５で使用されるエネルギーを蓄えるものであり、蓄電装置を含んで構成されている。蓄電装置としては、揚水発電システム、フライホイール、ＮＡＳ電池 (ナトリウム・硫黄電池)やレドックスフロー電池等の蓄電池、などの電力貯蔵に適した公知の様々な種類のものが適用される。蓄電装置に蓄えられた電力は、ヒートポンプ回路の動力エネルギー（圧縮動力など）として使用される。エネルギー蓄積部１６０では、夜間電力を利用してエネルギーを蓄える。比較的安価な夜間電力を利用することにより、多段ヒートポンプ回路ＨＰ１−ＨＰ５の運転コストの低減が図られる。
【００３９】
また、本例の発電プラントＰ１において、多段ヒートポンプ回路ＨＰ１−ＨＰ５で加熱された蒸発前の被加熱媒体を蓄える蓄熱槽をさらに備える構成としてもよい。この構成では、蓄熱槽を備えることにより、蒸発する手前の温度までの加熱のタイミングと、蒸発させるための加熱のタイミングとをずらすことができる。
例えば、比較的安価な夜間電力を利用して、蒸発する手前の温度まで多段ヒートポンプ回路ＨＰ１−ＨＰ５で被加熱媒体（例えば水）を加熱し、その被加熱媒体を、比容積が蒸気に比べて小さい高温液体（例えばお湯）の状態で蓄熱槽に蓄えておく。そして、必要に応じて、蓄熱槽内の被加熱媒体をさらに加熱して蒸気を発生させる。この場合、比較的安価な夜間電力を利用することにより、ヒートポンプの運転コストの低減が図られる。
【００４０】
以上、添付図面を参照しながら本発明に係る好適な実施の形態例について説明したが、本発明は係る例に限定されないことは言うまでもない。上述した例において示した各構成部材の諸形状や組み合わせ等は一例であって、本発明の主旨から逸脱しない範囲において設計要求等に基づき種々変更可能である。
【図面の簡単な説明】
【００４１】
【図１】本発明の蒸気供給システム（２段順次加熱式）を概念的に示す図である。
【図２】図１の変形例であり、ヒートポンプを用いた３段順次加熱式の蒸気供給システムを示す図である。
【図３】本発明の蒸気供給システムを発電プラントに適用した実施の形態例を模式的に示す図である
【符号の説明】
【００４２】
Ｓ１，Ｓ２，Ｓ３…蒸気供給システム、ＨＰ１〜ＨＰ５…ヒートポンプ回路、Ｐ１…発電プラント、Ｔ１〜Ｔ４…タービン、ＣＤ１…復水器、Ｇ１，Ｇ２…発電機、１１，２１，３１…吸熱部、１２，２２，３２…圧縮部、１３，２３，３３…放熱部、１４，２４，３４…膨張部、ＨＥ１〜ＨＥ３…熱交換器、１００…供給経路、１５０…高温熱交換器、、１６０…エネルギー蓄積部。
【図１】
2006348876.tif 000003
【図２】
2006348876.tif 000004
【図３】
2006348876.tif 000005